(57)【特許請求の範囲】
【請求項１】
躯体に取り付けた可撓性止水部材の止水性を確認する止水試験治具であって、
前記可撓性止水部材の側面に当てられて前記躯体とで前記可撓性止水部材の止水部に流体室を形成するとともに、この流体室に試験用加圧流体を供給する流体供給孔が形成された治具本体と、
前記可撓性止水部材を前記躯体に締め付ける固定締付け部材に取り付けられ前記治具本体を前記可撓性止水部材の側面に密着させる側面密着機構と、
前記固定締付け部材に取り付けられ前記治具本体を前記躯体に密着させて前記流体室を密封する底部密着機構と、を備えてなることを特徴とする止水試験治具。
【請求項２】
前記側面密着機構を、前記固定締付け部材を挟んで取り付ける挟持部材と、この挟持部材に取り付けられて前記治具本体を密着させる側面引き寄せ部材とで構成してなることを特徴とする請求項１記載の止水試験治具。
【請求項３】
前記底部密着機構を、前記固定締付け部材のアンカーボルトにねじ止めされる固定部材と、この固定部材に取り付けられて前記治具本体を密着させる押圧部材とで構成してなることを特徴とする請求項1記載の止水試験治具。
【請求項４】
前記側面密着機構と前記底部密着機構を、前記固定締付け部材のアンカーボルトにねじ止めされる固定部材を設け、この固定部材に前記治具本体を密着させる側面押圧部材と前記治具本体を前記躯体に密着させる押圧部材を設けて構成してなることを特徴とする請求項１記載の止水試験治具。
【請求項５】
前記可撓性止水部材の躯体への締め付け固定が、アンカーボルトにより直接固定されるボルトタイプ、あるいはアンカーボルトに固定される固定アーム部材を介して固定するボルトレスタイプのいずれかであることを特徴とする請求項1〜３のいずれかに記載の止水試験治具。
【発明の詳細な説明】
【技術分野】
【０００１】
この発明は、止水試験治具に関し、貯水池や水路などのコンクリート構造体の目地部を止水する可撓性止水部材の止水性を確認できるようにしたもので、特に可撓性止水部材の取付部分に影響を及ぼすことなく試験できるようにしたものである。
【背景技術】
【０００２】
生活用水や工業用水等を貯水する貯水池や浄水池、あるいは上下水道の水路等を構成する大型のコンクリート構造体では、コンクリートの亀裂を避けることが難しくコンクリートのさらなる亀裂を防止するため、目地部を設けることが一般的に行われている。
【０００３】
コンクリート構造体の目地構造に関しては各種の提案がなされているが、一般的に、逸水を阻止するために目地部の幅方向にたるみを形成した目地部止水部材を構造体に設けている。
【０００４】
従来の目地構造およびその逸水対策は、例えば図１１に示すように、コンクリート構造体１の目地部２に対して、ゴム製などの可撓性の目地部止水部材３の中央にある溝状のたるみ部分３ａで目地部２を塞ぎ、両側の平板もしくは躯体に接合する２列の平行な突起を配置した係止部３ｂを躯体に植設した定着具としてのアンカーボルト４ａとナット４ｂとで躯体であるコンクリート構造体１に固定している。
【０００５】
そして、ナット４ｂを締め付けることによって目地部止水部材３の各突起などの係止部３ｂを押しつぶした状態で躯体であるコンクリート構造体１の表面に圧着して目地部２からの逸水を防止している。
【０００６】
このような目地構造では、ナット４ｂの締め付け力が均等でない場合や突起などの係止部３ｂが押しつぶされるときに変転する場合などに、十分な止水性能が発揮されなくなることから、施工中や施工後などに止水状態を確認する試験を行うことがある。
【０００７】
このような止水性の確認試験には、例えば特許文献1に開示されている試験装置が用いられる。
【０００８】
この試験装置１０は、図１２に示すように、外管１１及び中管１２を備えて構成され、外管１１は上端が閉塞された円筒形で、その上端には、中心部に孔１３ａが形成され、外周部にネジ１３ｂが形成されて漏洩確認試料供給部からの試料を供給する接続パイプ１４を結合する結合部１３とされるとともに、下端には、パッキング１５用の溝１１ａを備えたフランジ１１ｂが形成してある。
【０００９】
また、中管１２は、外管１１と類似の形状で、外管１１の内部に配置されて四方からの結合部材１６で支持されており、その内周に試験装置１０をアンカーボルト４ａに取り付ける雌ネジ１２ａが形成してある。
【００１０】
このような試験装置１０は、外管１１の内部に配置されている中管１２を、押圧板１７を介してアンカーボルト４ａと螺合させて装着するとともに、外管１１の下端のフランジ１１ｂに装備されたＯリング等のパッキン１５で外管１１内に水等の供給を受けた際に外管１１から漏洩しないようにする。
【００１１】
そして、外管１１の結合部１３に、図示しない試料供給部に接続するパイプ１４から漏洩確認試料である水等を供給する。
【００１２】
これにより、目地部止水部材３の両突起列間の空間Ａが、目地部止水部材３のボルト孔，押圧板１７のボルト孔を介して試験装置１０の外管１１内と連通することから目地部止水部材３の止水性に問題があると、供給された水が目地部止水部材３の縁から漏れてくることになり、止水性の欠陥部所が簡単に確認できる。
【特許文献１】特開２０００−７３５８１号公報
【発明の開示】
【発明が解決しようとする課題】
【００１３】
ところが、このような試験装置１０では、外管１１内に結合部材１６を介して取り付けた中管１２をねじ込むことで外管１１のフランジ部１１ｂを押し付けてＯリング１５で密封する必要があるが、試験装置１０を取り付けることで、押圧板１７を介して目地止水部材３に加わる締付け力が増大し、本来のアンカーボルト４ａとナット４ｂによる締付け力と異なる状態の止水試験になってしまうという問題がある。
【００１４】
また、外管１１内に供給される試験用の水などを目地部止水部材３による止水空間Ａに供給する流路がボルト４ａとナット４ｂのネジの隙間を利用して行うため、試験後に止水空間Ａ内に供給した試験用の水などが抜けずに残ってしまうという問題もある。
【００１５】
さらに、目地止水部材の取り付けをアンカーボルトで直接取り付けることなく固定アーム部材を介して取り付けるボルトレスタイプの取り付け方法も提案されているが、このボルトレスタイプの場合には、この試験装置１０を固定することができず、止水試験を行うことができないという問題もある。
【００１６】
この発明は、上記従来技術の問題点に鑑みてなされたもので、目地部を止水する可撓性止水部材の取り付け状態に影響を及ぼすことなく簡単に設置して試験ができ、試験後の試験用加圧流体の残留もなく、しかもアンカーボルトで直接取り付けるボルトタイプの場合だけでなく、固定アーム部材を介して間接的に取り付けるボルトレスタイプにも適用することができる止水試験治具を提供しようとするものである。
【課題を解決するための手段】
【００１７】
かかる従来技術の課題を解決するこの発明の請求項１記載の止水試験治具は、躯体に取り付けた可撓性止水部材の止水性を確認する止水試験治具であって、前記可撓性止水部材の側面に当てられて前記躯体とで前記可撓性止水部材の止水部に流体室を形成するとともに、この流体室に試験用加圧流体を供給する流体供給孔が形成された治具本体と、前記可撓性止水部材を前記躯体に締め付ける固定締付け部材に取り付けられ前記治具本体を前記可撓性止水部材の側面に密着させる側面密着機構と、前記固定締付け部材に取り付けられ前記治具本体を前記躯体に密着させて前記流体室を密封する底部密着機構と、を備えてなることを特徴とするものである。
【００１８】
この止水試験治具によれば、躯体に取り付けた可撓性止水部材の止水性を確認する止水試験治具で、前記可撓性止水部材の側面に当てられて前記躯体とで前記可撓性止水部材の止水部に流体室を形成するとともに、この流体室に試験用加圧流体を供給する流体供給孔が形成された治具本体と、前記可撓性止水部材を前記躯体に締め付ける固定締付け部材に取り付けられ前記治具本体を前記可撓性止水部材の側面に密着させる側面密着機構と、前記固定締付け部材に取り付けられ前記治具本体を前記躯体に密着させて前記流体室を密封する底部密着機構と、を備えており、治具本体を可撓性止水部材の側面および躯体表面に当てて流体室を形成するようにし、治具本体の取り付けを側面密着機構と底部密着機構とに分けて行うことで、固定締付け部材を介して取り付けても止水性に影響を与えることなく取り付けることができ、治具本体を取り外すことで流体室を開放でき、試験用流体の残留を防止できるようになる。
【００１９】
また、この発明の請求項２記載の止水試験治具は、請求項１記載の構成に加え、前記側面密着機構を、前記固定締付け部材を挟んで取り付ける挟持部材と、この挟持部材に取り付けられて前記治具本体を密着させる側面引き寄せ部材とで構成してなることを特徴とするものである。
【００２０】
この止水試験治具によれば、前記側面密着機構を、前記固定締付け部材を挟んで取り付ける挟持部材と、この挟持部材に取り付けられて前記治具本体を密着させる側面引き寄せ部材とで構成してあり、挟持部材を固定締付け部材に挟んで取り付け、この挟持部材に取り付けた側面引き寄せ部材で治具本体を引き寄せるようにして可撓性止水部材に密着することができ、可撓性止水部材の本来の取り付けに影響を及ぼすことなく密着状態にすることができるようになる。
【００２１】
さらに、この発明の請求項３記載の止水試験治具は、請求項1記載の構成に加え、前記底部密着機構を、前記固定締付け部材のアンカーボルトにねじ止めされる固定部材と、この固定部材に取り付けられて前記治具本体を密着させる押圧部材とで構成してなることを特徴とするものである。
【００２２】
この止水試験治具によれば、前記底部密着機構を、前記固定締付け部材のアンカーボルトにねじ止めされる固定部材と、この固定部材に取り付けられて前記治具本体を密着させる押圧部材とで構成してあり、アンカーボルトに固定部材をねじ止めし、この固定部材に押圧部材を取り付けて治具本体を躯体表面に密着するようにすることで、流体室を密封でき、しかも可撓性止水部材の本来の取り付けに影響を及ぼすことなく密着状態にすることができるようになる。
【００２３】
また、この発明の請求項４記載の止水試験治具は、請求項1記載の構成に加え、前記側面密着機構と前記底部密着機構を、前記固定締付け部材のアンカーボルトにねじ止めされる固定部材を設け、この固定部材に前記治具本体を密着させる側面押圧部材と前記治具本体を前記躯体に密着させる押圧部材を設けて構成してなることを特徴とするものである。
【００２４】
この止水試験治具によれば、前記側面密着機構と前記底部密着機構を、前記固定締付け部材のアンカーボルトにねじ止めされる固定部材を設け、この固定部材に前記治具本体を密着させる側面押圧部材と前記治具本体を前記躯体に密着させる押圧部材を設けて構成してあり、アンカーボルトに１つの固定部材をねじ止めすることで、治具本体を側面押圧部材および押圧部材で密着させることができ、一層構造を簡素化して簡単に試験できるようにしている。
【００２５】
さらに、この発明の請求項５記載の止水試験治具は、請求項1〜３のいずれかに記載の構成に加え、前記可撓性止水部材の躯体への締め付け固定が、アンカーボルトにより直接固定されるボルトタイプ、あるいはアンカーボルトに固定される固定アーム部材を介して固定するボルトレスタイプのいずれかであることを特徴とするものである。
【００２６】
この止水試験治具によれば、前記可撓性止水部材の躯体への締め付け固定が、アンカーボルトにより直接固定されるボルトタイプ、あるいはアンカーボルトに固定される固定アーム部材を介して固定するボルトレスタイプのいずれかとしており、アンカーボルトに直接治具本体を取り付けるようにしていないので、ボルトタイプやボルトレスタイプのいずれの場合でも、治具本体を取り付けて止水試験ができ、しかも可撓性止水部材の本来の取り付けに影響を及ぼすことなく試験ができるようになる。
【発明の効果】
【００２７】
この発明の請求項１記載の止水試験治具によれば、躯体に取り付けた可撓性止水部材の止水性を確認する止水試験治具で、前記可撓性止水部材の側面に当てられて前記躯体とで前記可撓性止水部材の止水部に流体室を形成するとともに、この流体室に試験用加圧流体を供給する流体供給孔が形成された治具本体と、前記可撓性止水部材を前記躯体に締め付ける固定締付け部材に取り付けられ前記治具本体を前記可撓性止水部材の側面に密着させる側面密着機構と、前記固定締付け部材に取り付けられ前記治具本体を前記躯体に密着させて前記流体室を密封する底部密着機構と、を備えて構成したので、治具本体を可撓性止水部材の側面および躯体表面に当てて流体室を形成することができ、治具本体の取り付けを側面密着機構と底部密着機構とに分けて行うことで、固定締付け部材を介して取り付けても止水性に影響を与えることなく取り付けることができるとともに、治具本体を取り外すことで流体室を開放でき、試験用流体の残留を防止することができる。
【００２８】
また、この発明の請求項２記載の止水試験治具によれば、前記側面密着機構を、前記固定締付け部材を挟んで取り付ける挟持部材と、この挟持部材に取り付けられて前記治具本体を密着させる側面引き寄せ部材とで構成したので、挟持部材を固定締付け部材に挟んで取り付け、この挟持部材に取り付けた側面引き寄せ部材で治具本体を引き寄せるようにして可撓性止水部材に密着することができ、可撓性止水部材の本来の取り付けに影響を及ぼすことなく密着状態にすることができる。
【００２９】
さらに、この発明の請求項３記載の止水試験治具によれば、前記底部密着機構を、前記固定締付け部材のアンカーボルトにねじ止めされる固定部材と、この固定部材に取り付けられて前記治具本体を密着させる押圧部材とで構成したので、アンカーボルトに固定部材をねじ止めし、この固定部材に押圧部材を取り付けて治具本体を躯体表面に密着することで、流体室を密封することができ、しかも可撓性止水部材の本来の取り付けに影響を及ぼすことなく密着状態にすることができる。
【００３０】
また、この発明の請求項４記載の止水試験治具によれば、前記側面密着機構と前記底部密着機構を、前記固定締付け部材のアンカーボルトにねじ止めされる固定部材を設け、この固定部材に前記治具本体を密着させる側面押圧部材と前記治具本体を前記躯体に密着させる押圧部材を設けて構成したので、アンカーボルトに１つの固定部材をねじ止めすることで、治具本体を側面押圧部材および押圧部材で密着させることができ、一層構造を簡素化して簡単に試験することができる。
【００３１】
さらに、この発明の請求項５記載の止水試験治具によれば、前記可撓性止水部材の躯体への締め付け固定が、アンカーボルトにより直接固定されるボルトタイプ、あるいはアンカーボルトに固定される固定アーム部材を介して固定するボルトレスタイプのいずれかとしたので、アンカーボルトに直接治具本体を取り付ける必要がなく、ボルトタイプやボルトレスタイプのいずれの場合でも、治具本体を密着させて流体室を形成して止水試験を行うことができ、しかも可撓性止水部材の本来の取り付けに影響を及ぼすことなく試験することができる。
【発明を実施するための最良の形態】
【００３２】
以下、この発明の実施の形態について図面を参照して詳細に説明する。  
図１〜図４は、この発明の止水試験治具をボルトタイプで設置した可撓性止水部材に適用した場合の一実施の形態にかかり、図１は試験状態の概略斜視図、図２は分解して示す概略斜視図、図３は正面図および平面図、図４は、図３中のＡ−Ａ断面図およびＢ−Ｂ断面図である。
【００３３】
この止水試験治具２０が設置されて止水試験が行われるボルトタイプで固定される可撓性止水部材は、すでに図８で説明したものと同様に、コンクリート構造体１のＵ字状の溝を備えた目地部２に対して、ゴム製などの可撓性を有する材料で形成された可撓性止水部材３の中央のたるみ部分３ａが目地部２の溝内に配置されてまたがるようにするとともに、両側の平板もしくはコンクリート構造体１である躯体に接合する２列の平行な突起が形成された係止部３ｂを備えて構成され、躯体であるコンクリート構造体１に植設した固定締め付け部材としてのアンカーボルト４ａおよびナット４ｂと押圧板１７とを介して躯体であるコンクリート構造体１に密着させた状態で設置されており、可撓性止水部材３によって目地部２からの逸水を防止する。
【００３４】
このような可撓性止水部材３の止水状態を試験する止水試験治具２０は、治具本体２１を備えており、可撓性止水部材３の側面に当てられるとともに、躯体であるコンクリート構造物１の表面に当てられて密閉される流体室２１ａを形成できるようにしてあり、この流体室２１ａに連通して試験用加圧流体を供給する流体供給孔２１ｂおよび流体排出孔２１ｃが形成してある。
【００３５】
この治具本体２１は、厚い板状で検査すべき範囲に対応した長さとされ、可撓性止水部材３の側面に対向する治具本体２１の側面およびコンクリート構造物１の表面と対向する下面との隅部分が開口してその内側が中空状の流体室２１ａとされ、この流体室２１ａに連通する試験流体用の流体供給孔２１ｂおよび流体排出孔２１ｃが治具本体２１の上面から形成してある。
【００３６】
また、この治具本体２１には、図３（ｂ）および図４（ａ）に示すように、可撓性止水部材３の側面と対向する両端部側面の上部にそれぞれ突出部２１ｅが一体に形成してあり、治具本体２１の側面と突出部２１ｅの下面とで可撓性止水部材３の上隅縁を押えるように当てられる。
【００３７】
この治具本体２１を可撓性止水部材３の側面およびコンクリート構造物１の表面に密着状態で取り付けるため、側面密着機構２２と底部密着機構２６とが備えられ、可撓性止水部材３を躯体であるコンクリート構造物１に固定し、締め付ける固定締付け部材であるアンカーボルト４ａおよびナット４ｂと押圧板１７を利用して取り付けるが、その際、可撓性止水部材３の締付け状態に影響が及ばないようにしてある。
【００３８】
このため、治具本体２１を可撓性止水部材３の側面に密着させる側面密着機構２２は、アンカーボルト４ａおよびナット４ｂを介して固定される押圧板１７を挟んで取り付けられる挟持部材を構成する内側挟持部材２３と外側挟持部材２４とを備えており、押圧板１７の目地中心側の内側挟持部材２３が内側側面に係止される下方への突出部２３ａと上面に当てられる当て板部２３ｂとこの当て板部２３ｂの外側で上方に突き出す立設部２３ｃとが一体に形成され、立設部２３ｃに直角に締付けボルト２３ｄが取り付けて構成される。また、この内側挟持部材２３と対を成す外側挟持部材２４は、押圧板１７の目地外側に当てられる当て板部２４ａと締付けボルト２３ｄが相通される取り付け孔２４ｂが形成された締付け部２４ｃとが傾斜部２４ｄを介して一体に形成されて構成されている。
【００３９】
したがって、図４（ｂ）に示すように、内側挟持部材２３と外側挟持部材２４とを押圧板１７を挟むようにして締付けボルト２３ｄにナット２３ｅで締め付けることで、締付けボルト２３ｄを水平に突き出した状態で設置することができる。
【００４０】
一方、治具本体２１には、上面にキー溝２１ｄが長手方向に沿って形成され、このキー溝２１ｄに嵌合される矩形の板状のキー２５に締付けボルト２３ｄを挿通するための少なくとも２つ（図示例では２つ）の貫通孔２５ａが形成してある。
【００４１】
これにより、アンカーボルト４ａおよびナット４ｂで固定された押圧板１７を挟むようにして固定された内側挟持部材２３の締付けボルト２３ｄに治具本体２１のキー溝２１ｄに嵌合したキー２５の貫通孔２５ａを挿入してナット２５ｂで締め付けることで、治具本体２１を可撓性止水部材３の側面に引き寄せるようにして密着させることができる。
【００４２】
この側面密着機構２２によれば、可撓性止水部材３を躯体であるコンクリート構造物１に固定し、締め付ける固定締付け部材であるアンカーボルト４ａおよびナット４ｂと押圧板１７を利用して取り付けるが、その際、可撓性止水部材３の躯体１への締付け方向には力が加わらず、締付け状態に何ら影響が及ぶことがない。
【００４３】
次に、この治具本体２１を躯体であるコンクリート構造物１の表面に密着させる底部密着機構２６は、可撓性止水部材３を躯体であるコンクリート構造物１に固定し、締め付ける固定締付け部材であるアンカーボルト４ａおよびナット４ｂと押圧板１７のうちアンカーボルト４ａを利用して取り付けるが、その際、可撓性止水部材３の締付け状態に影響が及ばないようにしてある。
【００４４】
このため、底部密着機構２６では、アンカーボルト４ａにねじ止めされる固定部材２７を備え、上下水平部２７ａ，２７ｂが垂直部２７ｃで連結されて上下水平部がそれぞれ逆方向に突き出すようになっており、上水平部２７ａに固定用ボルト２７ｄ用の挿入孔２７ｅが、下水平部２７ｂに押圧部材を構成する押圧ボルト２８用のねじ孔２７ｆがそれぞれ形成してある。また、固定部材２７を固定用ボルト２７ｄでアンカーボルト４ａを利用して固定するため、長ナット２７ｇが用意され、アンカーボルト４ａにねじ込まれたナット４ｂに替えてアンカーボルト４ａにねじ込まれたり、ナット４ｂの上に長ナット２７ｇをねじ込むことで、アンカーボルト４ａ上に長ナット２７ｇが位置し、固定用ボルト２７ｄをねじ込むことができるようにしてある。
【００４５】
この長ナット２７ｇをナット４ｂに替えてねじ込む場合には、可撓性止水部材３を締め付けるための所定のトルクで締め付けることで、止水部への影響を回避することができ、アンカーボルト４ａの上端突き出し長さが十分ある場合には、ナット４ｂ上に長ナット２７ｇをねじ込むことで、止水部にさらなる締付け力を付加することを防止することができる。
【００４６】
したがって、この底部密着機構２６では、アンカーボルト４ａに長ナット２７ｇをナット４ｂ上、あるいはナット４ｂに替えてねじ込んだ後、固定部材２７の上水平部２７ａを載せて固定用ボルト２７ｄで締め付け、下水平部２７ｂが可撓性止水部材３の側面に密着状態とされた治具本体２１の上面上に位置するようにする。そして、下水平部２７ｂのねじ孔２７ｆに押圧ボルト２８をねじ込んで治具本体２１をコンクリート構造物１の表面に押し付けて密着させる。
【００４７】
これにより、治具本体２１の流体室２１ａの開口を可撓性止水部材３と躯体１とで塞ぐことができるとともに、可撓性止水部材３の係止部３ｂとコンクリート構造物１の表面との間に流体室２１ａを連通させることができる。
【００４８】
この状態で、治具本体２１の流体供給孔２１ｂから試験用加圧流体として加圧水を流体室２１ａに供給し、流体排出孔２１ｃに切換弁を介して圧力計を接続するなどで、加圧状態が保持されること確認することで、止水状態の試験を行うことができる。
【００４９】
なお、止水性に問題がある場合には、試験用加圧流体の圧力が保持できず、可撓性止水部材３の止水部からの試験用加圧流体の漏れが生じることになる。
【００５０】
そして、試験終了後、治具本体２１を取り外すことで、流体室２１ａが開放され、試験用加圧流体が残存することもない。
【００５１】
このような止水試験治具２０によれば、可撓性止水部材３の止水状態になんら影響を与えることなく、簡単に設置して止水試験を行うことができる。
【００５２】
また、この止水試験治具２０によれば、可撓性止水部材３の係止部３ｂに目地方向と平行な突起だけでなく、一定間隔に直交する突起を設けて区画した状態で取り付けられる場合には、アンカーボルトに装着する従来の試験装置では、区画された内部しか試験することができず、直交する突起の外側部分の試験ができない構造であったが、このような試験不能部分がなく、全ての部分の試験を行うことができる。
【００５３】
次に、この発明の他の一実施の形態について、図５および図６により説明する。  
図５および図６は、この発明の止水試験治具をボルトタイプで設置した可撓性止水部材に適用した場合の他の一実施の形態にかかり、図５は正面図および平面図、図６は、図５中のＡ−Ａ断面図およびＢ−Ｂ断面図である。
【００５４】
この止水試験治具２０Ａが設置されて止水試験が行われるボルトタイプで固定される可撓性止水部材は、すでに図１〜図４で説明したものと同一であり、止水試験治具２０と同一部分については、同一記号を記し、重複する説明は省略する。
【００５５】
この止水試験治具２０Ａでは、治具本体２１は止水試験治具２０と同一のものが使用され、側面密着機構２２Ａでは、押え板１７を両側から平板状の内側挟持部材２３Ａと平板状の外側挟持部材２４Ａとで挟むようにして内側挟持部材２３Ａを貫通させた締付ボルト２３ｄを設置し、キーに替えて治具本体２１の外側に当てた側面押え板２５Ａの貫通孔２５ａを挿通してナット２５ｂで締め付けることで、可撓性止水部材３の側面に治具本体２１を密着させる。
【００５６】
これにより、止水試験治具２０に比べ、側面密着機構２２Ａの構成部品２３Ａ，２４Ａ，２５Ａなどを単純な形状として製作を容易としている。
【００５７】
また、治具本体２１をコンクリート構造体１の表面に密着させる底部密着機構２６Ａは、アンカーボルト４ａにねじ止めされる平板状の固定部材２７Ａを備え、固定用ボルト２７ｄ用の挿入孔２７ｅと、押圧部材を構成する押圧ボルト２８用のねじ孔２７ｆがそれぞれ形成してある。なお、固定部材２７Ａを固定用ボルト２７ｄでアンカーボルト４ａを利用して固定するための構造は、すでに説明した止水試験装置２０と同一である。
【００５８】
これにより、止水試験治具２０に比べ、底面密着機構２６Ａの構成部品２７Ａを単純な形状として製作を容易としている。
【００５９】
したがって、この底部密着機構２６Ａでは、アンカーボルト４ａに長ナット２７ｇをナット４ｂ上、あるいはナット４ｂに替えてねじ込んだ後、固定部材２７Ａを載せて固定用ボルト２７ｄで締め付け、可撓性止水部材３の側面に密着状態とされた治具本体２１の上面上にねじ孔２７ｆにねじ込んだ押圧ボルト２８を位置させて治具本体２１をコンクリート構造物１の表面に押し付けて密着させる。
【００６０】
なお、止水試験治具２０Ａの他の構成は、すでに説明した止水試験治具２０と同一であり、止水試験治具２０と同様にして流体室２１ａに止水試験用加圧流体を供給し、その圧力が維持されることを圧力計等で確認することで止水試験を行なうことができる。
【００６１】
したがって、この止水試験治具２０Ａによれば、一層簡単に製造することができるとともに、簡単に設置して止水試験を行うことができる。
【００６２】
次に、この発明のさらに他の一実施の形態について、図７により説明する。  
図７は、この発明の止水試験治具をボルトタイプで設置した可撓性止水部材に適用した場合のさらに他の一実施の形態にかかる正面図、平面図および側面図である。
【００６３】
この止水試験治具２０Ｂが設置されて止水試験が行われるボルトタイプで固定される可撓性止水部材は、すでに図１〜図４および図５，６で説明したものと同一であり、止水試験治具２０，２０Ａと同一部分については、同一記号を記し、重複する説明は省略する。
【００６４】
この止水試験治具２０Ｂでは、治具本体２１は止水試験治具２０と同一のものが使用され、側面密着機構２２Ｂおよび底面密着機構２６Ｂでは、アンカーボルト４ａにねじ止めされる１つの固定部材２７Ｂを兼用して使用するようにしてある。
【００６５】
この固定部材２７Ｂは、上下水平部２７ａ，２７ｂが垂直部２７ｃで連結されて上下水平部がそれぞれ逆方向に突き出すとともに、下水平部２７ｂの先端に治具本体２１の側面と対向する対向垂直部２７ｃ′が一体に形成されて構成されている。上水平部２７ａに固定用ボルト２７ｄ用の挿入孔２７ｅが、下水平部２７ｂに押圧部材を構成する押圧ボルト２８用のねじ孔２７ｆがそれぞれ形成してあり、対向垂直部２７ｃ′には、側面押圧部材を構成する締付ボルト２３ｄ用のねじ孔２５ｃが形成してある。
【００６６】
この固定部材２７Ｂを固定用ボルト２７ｄでアンカーボルト４ａを利用して固定するため、長ナット２７ｇを用意して行う構成は、すでに説明した固定部材２７，２７Ａの場合と同一である。
【００６７】
このような固定部材２７Ｂを備えた止水試験治具２０Ｂでは、アンカーボルト４ａにねじ込まれたナット４ｂに替えて長ナット２７ｇをアンカーボルト４ａにねじ込んだり、ナット４ｂの上に長ナット２７ｇをねじ込むことで、アンカーボルト４ａ上に長ナット２７ｇを位置させ、固定部材２７Ｂを載せて固定用ボルト２７ｄをねじ込んで固定する。この後、対向垂直部２７ｃ′のねじ孔２５ｃにねじ込んだ側面押圧部材を構成する締付ボルト２３ｄで治具本体２１を可撓性止水部材３の側面に密着させ、さらに、この可撓性止水部材３の側面に密着状態とされた治具本体２１の上面上の固定部材２７Ｂのねじ孔２７ｆにねじ込んだ押圧部材を構成する押圧ボルト２８で治具本体２１をコンクリート構造物１の表面に押し付けて密着させる。
【００６８】
なお、止水試験治具２０Ｂの他の構成は、すでに説明した止水試験治具２０，２０Ａと同一であり、止水試験治具２０と同様にして流体室２１ａに止水試験用加圧流体を供給し、その圧力が維持されることを圧力計等で確認することで止水試験を行なうことができる。
【００６９】
したがって、この止水試験治具２０Ｂによれば、一層簡単に製造することができるとともに、一層簡単に設置して止水試験を行うことができる。
【００７０】
次に、この発明の他の一実施の形態について、図８〜図１０により説明する。  
この止水試験治具２０Ｃは、可撓性止水部材３Ａを躯体であるコンクリート構造物１に設置する場合の取り付けをアンカーボルト４ａで直接取り付けることなく、固定アーム部材１９を介して取り付ける、いわゆるボルトレスタイプの場合に適用するものである。なお、すでに説明したボルトタイプの止水試験治具２０と同一部分については、同一記号を記し、重複する説明は省略する。
【００７１】
この止水試験治具２０Ｃが設置されるボルトレスタイプの止水構造は、図８に示すように、躯体としてのコンクリート構造物１，１間の目地部２に跨って可撓性止水部材３Ａが配置され、この可撓性止水部材３Ａは長尺帯状の幅方向中間部に略Ω字状に折り畳んだ折り畳み部３Ａａを備えるとともに、幅方向両端部に平板状の碇着部３Ａｂが設けられてゴムや合成樹脂などの弾性部材で構成される。そして、この可撓性止水部材３Ａの碇着部３Ａｂに押え部材１８を当て、アンカーボルト４ａに基端部１９ａがコンクリート構造物１上とされ中間部１９ｂが支持固定される固定アーム部材１９の先端部１９ｃで押え部材１８を押えるようにすることで、アンカーボルト４ａの位置に、鉄筋などとの干渉防止のためのズレなどが生じても簡単に対応して所定位置の押え部材１８を押えて可撓性止水部材３Ａを取り付けるようにする。
【００７２】
これにより、アンカーボルト４ａの取り付け位置が決まる前でも可撓性止水部材３Ａ、押え部材１８、固定アーム部材１９を製作でき、施工も容易で、短期間に施工できる。
【００７３】
このような可撓性止水部材３Ａを、アンカーボルト４ａで直接コンクリート構造物１、１に固定することなく、固定アーム部材１９を用いて支持固定するボルトレスタイプに適用する止水試験治具２０Ｃでは、治具本体２１は止水試験治具２０と同一のものが使用されるとともに、側面密着機構２２も同一のものが使用され、押え部材１８に内側挟持部材２３と外側挟持部材２４とで挟むようにして締付ボルト２３ｄを設置し、治具本体２１のキー溝２１ｄに嵌合されたキー２５の貫通孔２５ａを挿通してナット２５ｂで締め付けることで、可撓性止水部材３ａの側面に治具本体２１を密着させる。
【００７４】
治具本体２１をコンクリート構造体１の表面に密着させる底部密着機構２９は、アンカーボルト４ａの位置が異なることから、例えば図８〜図１０に示すように、平板状の固定部材２９ａを備え、少なくとも２箇所のアンカーボルト４ａに対応する固定用ボルト２９ｂの挿入孔２９ｃおよび少なくとも２つの押圧ボルト２８用のねじ孔２９ｄが形成してあり、アンカーボルト４ａに固定部材２９ａを固定した状態で、ねじ孔２９ｄが治具本体２１の表面と対向するように固定部材２９ａの大きさおよびねじ孔２９ｄの配置が定められている。そして、アンカーボルト４ａに固定するための長ナット２９ｅが用いられ、アンカーボルト４ａに長ナット２９ｅをナット４ｂ上、あるいはナット４ｂに替えてねじ込んだ後、固定部材２９ａを載せて固定用ボルト２９ｂで締め付けル用にしてある。
【００７５】
なお、止水試験治具２０Ｃの他の構成は、すでに説明した止水試験治具２０と同一であり、止水試験治具２０と同様にして流体室２１ａに止水試験用加圧流体を供給し、その圧力が維持されることを圧力計等で確認することで止水試験を行なうことができる。
【００７６】
したがって、この止水試験治具２０Ｃによれば、アンカーボルト４ａを介して試験用加圧流体を供給することができない場合でも、簡単に設置して止水試験を行うことができる。
【００７７】
なお、流体排出孔２１ｃに、圧力検知手段として圧力センサを設けるとともに、タイマーにより一定時間経過後の圧力の変化を比較して表示するようにしたり、変化が設定値を越えた場合に警報を発するようにすれば、止水状態の良否を自動的に検知して表示・警報することができ、一層止水試験を容易に行うことができる。
【図面の簡単な説明】
【００７８】
【図１】この発明の止水試験治具をボルトタイプで設置した可撓性止水部材に適用した場合の一実施の形態にかかる試験状態の概略斜視図である。
【図２】この発明の止水試験治具をボルトタイプで設置した可撓性止水部材に適用した場合の一実施の形態にかかる分解して示す概略斜視図である。
【図３】この発明の止水試験治具をボルトタイプで設置した可撓性止水部材に適用した場合の一実施の形態にかかる正面図および平面図である。
【図４】この発明の止水試験治具をボルトタイプで設置した可撓性止水部材に適用した場合の一実施の形態にかかる底部密着機構部分での断面図および側面密着機構部分での断面図である。
【図５】この発明の止水試験治具をボルトタイプで設置した可撓性止水部材に適用した場合の他の一実施の形態にかかる正面図および平面図である。
【図６】この発明の止水試験治具をボルトタイプで設置した可撓性止水部材に適用した場合の他の一実施の形態にかかる図５中のＡ−Ａ断面図およびＢ−Ｂ断面図である。
【図７】この発明の止水試験治具をボルトタイプで設置した可撓性止水部材に適用した場合のさらに他の一実施の形態にかかる正面図、平面図および側面図である。
【図８】この発明の止水試験治具をボルトレスタイプで設置した可撓性止水部材に適用した場合の一実施の形態にかかる試験状態の概略斜視図である。
【図９】この発明の止水試験治具をボルトレスタイプで設置した可撓性止水部材に適用した場合の一実施の形態にかかる分解して示す概略斜視図である。
【図１０】この発明の止水試験治具をボルトレスタイプで設置した可撓性止水部材に適用した場合の一実施の形態にかかる底部密着機構部分での断面図および側面密着機構部分での断面図である。
【図１１】この発明の止水試験治具が適用されるボルトタイプの可撓性止水部材の概略遮視図である。
【図１２】従来の止水試験装置による試験状態の縦断面図である。
【符号の説明】
【００７９】
２０          止水試験治具
２０Ａ        止水試験治具
２０Ｂ        止水試験治具
２０Ｃ        止水試験治具
２１          治具本体
２１ａ        流体室
２１ｂ        流体供給孔
２１ｃ        流体排出孔
２１ｄ        キー溝
２１ｅ        突出部
２２          側面密着機構
２２Ａ        側面密着機構
２２Ｂ        側面密着機構
２３          内側挟持部材
２３Ａ        内側挟持部材
２３ａ        突出部
２３ｂ        当て板部
２３ｃ        立設部
２３ｄ        締付けボルト
２３ｅ        ナット
２４          外側挟持部材
２４Ａ        外側挟持部材
２４ａ        当て板部
２４ｂ        取り付け孔
２４ｃ        締付け部
２４ｄ        傾斜部
２５          キー
２５ａ        貫通孔
２５ｂ        ナット
２５ｃ        ねじ孔
２６          底部密着機構
２６Ａ        底部密着機構
２６Ｂ        底部密着機構
２７          固定部材
２７Ａ        固定部材
２７Ｂ        固定部材
２７ａ        上水平部
２７ｂ        下水平部
２７ｃ        垂直部
２７ｃ′      対向垂直部
２７ｄ        固定用ボルト
２７ｅ        挿入孔
２７ｆ        ねじ孔
２７ｇ        長ナット
２８          押圧ボルト
２９          底部密着機構
２９ａ        固定部材
２９ｂ        固定用ボルト
２９ｃ        挿入孔
２９ｄ        ねじ孔
２９ｅ        長ナット
１            コンクリート構造体（躯体）
２            目地部
３            可撓性止水部材
３ａ          たるみ部
３ｂ          突起（係止部）
４ａ          アンカーボルト
４ｂ          ナット
３Ａ          可撓性止水部材
３Ａａ        折り畳み部
３Ａｂ        碇着部
１７          押圧板
１８          押え部材
１９          固定アーム部材
１９ａ        基端部
１９ｂ        中間部
１９ｃ        先端部
【図１】
0005020751.tif 000002
【図２】
0005020751.tif 000003
【図３】
0005020751.tif 000004
【図４】
0005020751.tif 000005
【図５】
0005020751.tif 000006
【図６】
0005020751.tif 000007
【図７】
0005020751.tif 000008
【図８】
0005020751.tif 000009
【図９】
0005020751.tif 000010
【図１０】
0005020751.tif 000011
【図１１】
0005020751.tif 000012
【図１２】
0005020751.tif 000013